(57)【要約】【課題】電線が電線保持アームから外れにくくなるようにした振動型リニアアクチュエータの配線処理構造を提供する。【解決手段】振動型リニアアクチュエータの配線処理部５１に、電線を引っ掛けるための片持の電線保持アーム５６を設け、電線７１を、その電線保持アームの先端５６ｂから巻き付けるようにアームに引っ掛けることにより、電線７１の引き出し方向を転換させると共に電線を保持した配線処理構造において、電線が電線保持アームに当たっている当たり面５６ａに作用する当該電線７１からの押圧力１００のベクトルの方向が、当たり面に垂直な方向よりも電線保持アームの基端５６ｃ側に向くように、電線と当たり面との当たり角度が設定されている。【選択図】図４
2010166684.tif 000002
【特許請求の範囲】
【請求項１】
電磁石を備える電磁コアブロックと、永久磁石または磁性材料片を備える磁性ブロックと、前記電磁石に電流を供給する電線と、該電線を外部に引き出すための配線処理部とを有し、前記電磁石への電流の供給によって、前記電磁コアブロック及び磁性ブロックの両方、または、少なくとも一方のブロックを往復駆動させるようにした振動型リニアアクチュエータの前記配線処理部に、前記電線を引っ掛けるための片持の電線保持アームを設け、その電線保持アームの先端から該電線保持アームに巻き付けるように前記電線を引っ掛けることにより、前記電線の引き出し方向を転換させると共に該電線を前記電線保持アームにより保持した振動型リニアアクチュエータにおける配線処理構造において、
前記電線が前記電線保持アームに当たっている当たり面に作用する当該電線からの押圧力のベクトルの方向が、前記当たり面に垂直な方向よりも前記電線保持アームの基端側に向くように、前記電線と前記当たり面との当たり角度が設定されていることを特徴とする振動型リニアアクチュエータにおける配線処理構造。
【発明の詳細な説明】
【技術分野】
【０００１】
本発明は、電気かみそりに主に使用される振動型リニアアクチュエータにおける配線処理構造に関するものである。
【背景技術】
【０００２】
電気かみそりは、一般的に、刃部を搭載したヘッド部に、刃部を駆動するための駆動アクチュエータを内蔵しており、ヘッド部を棒状のグリップ部の上端に配置して、グリップ部の内部に装備したバッテリを含む回路部から、ヘッド部に搭載した駆動アクチュエータに向けて駆動用の電流を供給するようになっている。その例として、特許文献１に振動型リニアアクチュエータを搭載した電気かみそりが示されている。
【０００３】
この種の電気かみそりでは、ヘッド部に搭載された振動型リニアアクチュエータから電線をグリップ部に向けて引き出す必要があるが、従来の一例においては、図６〜図８に示すような配線処理部を介して引き出していた。
【０００４】
図６は振動型リニアアクチュエータの下から見た斜視図、図７は同振動型リニアアクチュエータの底面図、図８は同振動型リニアアクチュエータの底面に設けられた配線処理部の拡大図である。
【０００５】
この振動型リニアアクチュエータは、図６に示すように、電磁石１０を備える電磁コアブロック１の底面を樹脂製の基台１５０の上面に固定し、永久磁石を有する磁性ブロック２を可動子として、電磁石１０の上側に所定のギャップを保持した状態で配置し、電線１７１を通じて電磁石１０に駆動電流を供給することにより、電磁コアブロック１に対して磁性ブロック２を往復駆動させるものであり、基台１５０の底面に、電磁石１０に繋がる電線１７１を外部に引き出すための配線処理部１５１が設けられている。
【０００６】
この配線処理部１５１には、図７に示すように、電線１７１を掛け回すための第１、第２の２つの電線保持ブラケット１５４、１５５が設けられており、第２の電線保持ブラケット１５５には、アクチュエータ外へ引き出す電線１７１の向きを転換しつつ該電線１７１を保持するための片持の電線保持アーム１５６が基台１５０の底面と平行に設けられている。そして、図８に示すように、先に第１の電線保持ブラケット１５４に引っ掛けた電線１７１を、第２の電線保持アーム１５６の先端１５６ｂから電線保持アーム１５６の当たり面１５６ａに巻き付けるように引っ掛けることにより、電線１７１の引き出し方向を、基台１５０の底面に平行な方向から基台１５０の底面に垂直な方向（図８の紙面に垂直な方向）に転換させ、同時に、電線１７１をそのままの状態に保持している。図８において、１７１ａで示す部分は電線の引き出し端であり、この引き出し端１７１ａが紙面の手前方向に引っ張られている。
【０００７】
ところで、従来の振動型リニアアクチュエータの配線処理部１５１では、第１の電線保持ブラケット１５４と第２の電線保持ブラケット１５５の位置関係などから、電線保持アーム１５６の当たり面１５６ａと電線１７１の当たり角度が、図８に示すように当たり面１５６ａに作用する電線１７１からの押圧力１００のベクトルの方向が当たり面１５６ａに垂直な方向よりも電線保持アーム１５６の先端１５６ｂ側に向くように、設定されていた。
【先行技術文献】
【特許文献】
【０００８】
【特許文献１】特開２００５−３５４８７９号公報
【発明の概要】
【発明が解決しようとする課題】
【０００９】
しかしながら、電線保持アーム１５６の当たり面１５６ａと電線１７１の当たり角度が上記のように設定されていると、電線１７１から電線保持アーム１５６の当たり面１５６ａに作用する押圧力１００が、電線１７１を当たり面１５６ａに垂直に押し付ける力１０１と、当たり面１５６ａに沿った方向の力１０２に分解された際に、当たり面１５６ａに沿った方向の力１０２が、電線１７１を、電線保持アーム１５６の先端１５６ｂ側に移動させるように作用してしまい、この力１０２によって電線１７１が電線保持アーム１５６から外れやすくなるという問題があった。
【００１０】
本発明は、上記事情を考慮し、電線が電線保持アームから外れにくくなるようにした振動型リニアアクチュエータの配線処理構造を提供することを目的とする。
【課題を解決するための手段】
【００１１】
上記課題を解決するために、請求項１の発明は、電磁石を備える電磁コアブロックと、永久磁石または磁性材料片を備える磁性ブロックと、前記電磁石に電流を供給する電線と、該電線を外部に引き出すための配線処理部とを有し、前記電磁石への電流の供給によって、前記電磁コアブロック及び磁性ブロックの両方、または、少なくとも一方のブロックを往復駆動させるようにした振動型リニアアクチュエータの前記配線処理部に、前記電線を引っ掛けるための片持の電線保持アームを設け、その電線保持アームの先端から該電線保持アームに巻き付けるように前記電線を引っ掛けることにより、前記電線の引き出し方向を転換させると共に該電線を前記電線保持アームにより保持した振動型リニアアクチュエータにおける配線処理構造において、前記電線が前記電線保持アームに当たっている当たり面に作用する当該電線からの押圧力のベクトルの方向が、前記当たり面に垂直な方向よりも前記電線保持アームの基端側に向くように、前記電線と前記当たり面との当たり角度が設定されていることを特徴としている。
【発明の効果】
【００１２】
請求項１の発明によれば、電線から電線保持アームの当たり面に作用する押圧力のベクトルの方向が、当たり面に垂直な方向よりも電線保持アームの基端側に向くように設定してあるので、電線を引き出し方向に引っ張ったときに、電線が配線保持アームから外れるのを防ぐことができる。
【図面の簡単な説明】
【００１３】
【図１】本発明の第１実施形態の振動型リニアアクチュエータを下から見た斜視図である。
【図２】同振動型リニアアクチュエータの底面図である。
【図３】同振動型リニアアクチュエータの電線を配索する前の状態を示す底面図である。
【図４】同振動型リニアアクチュエータの底面に設けられた配線処理部の拡大図である。
【図５】本発明の第２実施形態の振動型リニアアクチュエータの底面図である。
【図６】従来の振動型リニアアクチュエータの電線を配索する前の状態を下から見た斜視図である。
【図７】同振動型リニアアクチュエータの電線を配索する前の状態を示す底面図である。
【図８】同振動型リニアアクチュエータの底面に設けられた配線処理部の拡大図である。
【発明を実施するための形態】
【００１４】
以下、本発明の実施形態を図面を参照して説明する。
【００１５】
図１は第１実施形態の振動型リニアアクチュエータを下から見た斜視図、図２は同振動型リニアアクチュエータの底面図、図３は同振動型リニアアクチュエータの電線を配索する前の状態を示す底面図、図４は同振動型リニアアクチュエータの底面に設けられた配線処理部の拡大図である。
【００１６】
この振動型リニアアクチュエータＭは、電気かみそりのヘッド部に搭載されて、ヘッド部に装備された刃部の要素である内刃を外刃に対して髭剃り方向（前後方向）と直交する左右方向に往復振動させるもので、電磁石１０を備える電磁コアブロック１と、永久磁石やバックヨークを備える磁性ブロック（可動子）２と、磁性ブロック２に連結されて図示略の内刃が装着される駆動子３と、電磁コアブロック１の底面が自身の上面に固定された基台５０と、電磁石１０に駆動電流を供給するための２本の電線７１と、該２本の電線７１をヘッド部から図示しないグリップ部（外部）に向けて引き出すための配線処理部５１とを有しており、電磁石１０への電流の供給によって、磁性ブロック２を往復駆動させる機能を有している。
【００１７】
配線処理部５１には、図２および図３に示すように、電線７１を掛け回すための第１、第２の２つの電線保持ブラケット５３、５５が設けられており、第２の電線保持ブラケット５５には、第１の電線保持ブラケット５３側に突出するように、アクチュエータ外へ引き出す電線７１の向きを転換しつつ該電線７１を保持するための片持の電線保持アーム５６が、基台５０の底面と平行に互いに離間して２本設けられている。
【００１８】
２本の電線保持アーム５６のうちの１本の電線保持アーム５６は、第１の電線保持ブラケット５３に近い位置、もう１本の電線保持アーム５６は、第１の電線保持ブラケット５３から遠い位置にあり、互いに離間して略平行に配置されている。これら２本の電線保持アーム５６は、各内側面が、アクチュエータの左右方向に平行な基準線Ｋに対してそれぞれ角度α、βだけ内側に傾斜した傾斜面として形成されている。これらアームの基端５６ｃから先端５６ｂまでの内側面は、電線７１を引っ掛ける際に電線７１が巻き付きながら接触する当たり面５６ａとなる部分である。この第１実施形態の配線処理構造では、２本の電線保持アーム５６のうち、第１の電線保持ブラケット５３に近い方の１本の電線保持アーム５６だけを使用している。なお、電線保持アーム５６の基台５０の底面との対向面の先端には、電線７１を引っ掛けた際に脱落しないように止める凸部５６ｅが設けられている。
【００１９】
また、第２の電線保持ブラケット５５の反対側には、第１の電線保持ブラケット５３に掛け回さない方の電線７１を掛け回すための電線掛け回しアーム５４が突設されている。さらに、基台５０の側縁部には、図１に示すように、電磁石１０から引き出された巻線の端末部７０を誘導するためのガイド５２、５８が設けられている。これらガイド５２、５８は、複数の電線７１や巻線の端末部７０を絡まないように誘導するためのものである。２本の電線７１は、巻線の端末部７０に結合部７２を介して結合された上で、配線処理部５１にて所定の経路で配索されている。
【００２０】
具体的に説明すると、この実施形態では、図２に示すように、２本の電線７１のうちの１本が、まず、第１の電線保持ブラケット５３に引っ掛けられた上で、近い方の第２の電線保持アーム５６の先端５６ｂから当たり面５６ａに巻き付けるように引っ掛けられており、それにより、電線７１の引き出し端７１ａが、基台５０の底面に平行な方向から基台５０の底面に垂直な方向に転換させられ、同時に、電線７１がそのままの状態で第１の電線保持ブラケット５３および電線保持アーム５６により保持されている。
【００２１】
また、もう１本の電線７１は、第２の電線保持ブラケット５５の反対側の電線掛け回しアーム５４に掛け回された上で、先の電線７１と同じように、第２の電線保持アーム５６の先端５６ｂから当たり面５６ａに巻き付けるように引っ掛けられており、それにより、電線７１の引き出し端７１ａが、基台５０の底面に平行な方向から基台５０の底面に垂直な方向に転換させられ、同時に、電線７１がそのままの状態で電線掛け回しアーム５４および電線保持アーム５６により保持されている。
【００２２】
この際、重要なことは、図４に示すように、電線７１から電線保持アーム５６の当たり面５６ａに作用する押圧力１００のベクトルの方向が、当たり面５６ａに垂直な方向よりも電線保持アーム５６の基端５６ｃ側に向くように、電線７１と当たり面５６ａとの当たり角度が設定されていることである。ここでは、電線保持アーム５６の内側面に角度αの傾斜が付けられていることにより、この関係が無理なく成立させられている。
【００２３】
このような条件に設定されている場合、電線７１から電線保持アーム５６の当たり面５６ａに作用する押圧力１００が、電線７１を当たり面５６ａに垂直に押し付ける力１０１と、当たり面５６ａに沿った方向の力１０２に分解された際に、当たり面５６ａに沿った方向の力１０２が、電線７１を電線保持アーム５６の基端５６ｃ側に移動させる力として作用することになる。そのため、この力１０２によって電線７１を電線保持アーム５６から外れにくくすることができる。
【００２４】
図５は、本発明の第２実施形態として、第１実施形態の構成に加えて、更に別の２本の電線７１を配索した場合の例を示している。この例では、新たに配索する２本の電線７１を、第１実施形態において使わずに残っているもう１本の電線保持アーム５６に引っ掛けることにより、電線７１の配索経路を、基台５０の底面に平行な方向から基台５０の底面に垂直な方向に変換して電線７１を引き出してる。
【００２５】
この場合も、電線７１から電線保持アーム５６の当たり面５６ａに作用する押圧力１００のベクトルの方向が、当たり面５６ａに垂直な方向よりも電線保持アーム５６の基端５６ｃ側に向くように、電線７１と当たり面５６ａとの当たり角度が設定されている。ここでは、電線保持アーム５６の内側面に角度βの傾斜が付けられていることにより、この関係が無理なく成立させられている。
【００２６】
このような条件が設定されていることにより、各電線７１の引き出し端７１ａを紙面の手前方向に引っ張った際に、電線７１に、矢印Ｓで示すような電線保持アーム５６の基端５６ｃに移動しようとする力を発生させることができるので、電線７１の電線保持アーム５６からの外れを有効に防止することができる。
【００２７】
なお、上記実施形態においては、電磁コアブロック１に対して磁性ブロック２が往復振動する場合を例に示したが、磁性ブロック２に対して電磁コアブロック１が往復振動する場合、あるいは、電磁コアブロック１及び磁性ブロック２の両方が往復振動する場合にも本発明は適用できる。また、永久磁石の代わりに磁性材料片が備わっていてもよい。
【符号の説明】
【００２８】
Ｍ  振動型リニアアクチュエータ
１  電磁コアブロック
２  磁性ブロック
１０  電磁石
７１  電線
５１  配線処理部
５６  電線保持アーム
５６ａ  当たり面
５６ｂ  先端
５６ｃ  基端
１００  電線からの押圧力
【図１】
2010166684.tif 000003
【図２】
2010166684.tif 000004
【図３】
2010166684.tif 000005
【図４】
2010166684.tif 000006
【図５】
2010166684.tif 000007
【図６】
2010166684.tif 000008
【図７】
2010166684.tif 000009
【図８】
2010166684.tif 000010